(57)【要約】      （修正有）【課題】上下方向に隣り合うパネル本体同士間の隙間を極力縮めて指詰め事故を防止すると共に、シャッター開閉動作時に左右の隣り合うパネルとの接触を回避してパネルの破損等を防止する。【解決手段】各パネル本体３Ａ，３Ｂの両側端部に一体的に結合され、各パネル本体を支持する縦框４に上部から延びる上向延出部４ｂと、縦框４の下部から延びる下向延出部とを形成し、上向延出部４ｂの形状は、上下方向に隣り合う上方に位置する上方のパネルがパネル収納部内へのパネル収納およびその逆方向であるパネル搬出動作の際に生じるパネル傾き移動動作時の上方のパネルの下向延出部の移動経路と限界間隔距離を保持し、かつ、移動経路に沿った衝突回避形状に形成され、下向延出部の形状は、パネル傾き移動動作時に、下方のパネルの上向延出部の移動経路と限界間隔距離を保持してかつ、移動経路に沿った衝突回避形状に形成される。【選択図】図５
2007291776.tif 000002
【特許請求の範囲】
【請求項１】
各パネル本体の両側端部に一体的に結合され、各パネル本体を支持する縦框と、この縦框に組み付けられたチェーン支持関連部材と、上記縦框の上部から延びる上向延出部と、上記縦框の下部から延びる下向延出部とを備え、
上記上向延出部の形状は、上下方向に隣り合う上方に位置する上方のパネルがパネル収納部内へのパネル収納およびその逆方向であるパネル搬出動作の際に生じるパネル傾き移動動作時の上方のパネルの下向延出部の移動経路と限界間隔距離を保持し、かつ、移動経路に沿った衝突回避形状に形成され、
上記下向延出部の形状は、上記パネル傾き移動動作時に、下方のパネルの上向延出部の移動経路と限界間隔距離を保持してかつ、移動経路に沿った衝突回避形状に形成されていることを特徴とするパネル。
【請求項２】
上記縦框の上部には、段差状に形成され、かつ、シャッター全閉時に上方のパネルの下向延出部の下部に当接する上端辺縁部と、上記縦框の下部には、段差状に形成され、シャッター全閉時に下方のパネルの上向延出部の上部に当接する下端辺縁部とが形成され、シャッター全閉時に各パネル本体同士を非接触状態に保持できることを特徴とする請求項１記載のパネル。
【請求項３】
各パネルはガラス面板からなり、このガラス面板の両側端部に縦框が接着剤で弾性的に結合されていることを特徴とする請求項１または請求項２記載のパネル。
【請求項４】
上下方向に隣り合うパネル間における上位パネルの下端もしくは下位パネルの上端には、シャッター全閉時に上記パネル間を封止する弾性封止部材が結合されていることを特徴とする請求項１から請求項３のうちのいずれか１項記載のパネル。
【請求項５】
弾性封止部材はシリコン系チューブからなっていることを特徴とする請求項４記載のパネル。
【請求項６】
パネル昇降ガイド用開口を有する左右一対のガイドレールと、これらのガイドレール間を昇降する複数のパネルと、上記ガイドレールの上方に配置されて同期回転駆動される左右一対のスプロケットと、これらのスプロケットに噛合して上記ガイドレールの内部に垂下し、上記パネル相互をそれぞれの両側で連繋吊持しているパネル連繋チェーンと、上記ガイドレール間を上昇して上記スプロケット間を通過したパネルを吊持収納する収納レールとを備えたパネルシャッターにおいて、
上記各パネルのパネル本体の両側端部に縦框を一体的に結合し、これらの縦框をそれぞれの上部で上記パネル連繋チェーンに連繋吊持させ、シャッター全閉時に上下方向に隣り合うパネル同士の両側面間で上位パネルの縦框と下位パネルの縦框とを当接させてパネル本体同士を非接触状態に保持させると共に、上記各パネルの縦框は、上記左右のスプロケット間をパネルが通過する際に生じる当該パネルの傾き動作時に当該パネルの縦框下端部とこれに隣り合うパネルの縦框上端部とが干渉しない框形状に形成されていることを特徴とするパネルシャッター。
【発明の詳細な説明】
【技術分野】
【０００１】
この発明は、各種の構築・構造物の開閉空間領域を昇降開閉するパネルおよびパネルシャッターに関するものである。
【背景技術】
【０００２】
従来のパネルシャッターは、パネル昇降ガイド用開口を有する左右一対のガイドレールと、これらのガイドレール間を昇降する複数のパネルと、上記ガイドレールの上方に配置されて同期回転駆動される左右一対のスプロケットと、これらのスプロケットに噛合して上記ガイドレールの内部に垂下し、上記パネル相互をそれぞれの両側で連繋吊持しているパネル連繋チェーンと、上記ガイドレール間を上昇して上記スプロケット間を通過したパネルを吊持収納する収納レールとを備え、上記スプロケットの正逆回転駆動によるパネル連繋チェーンの送り動作によって、上記各パネルを、上記ガイドレールに沿った直列姿勢の縦移動と、上記収納レールに沿った並列姿勢の横移動とに継送する構成となっている。
【０００３】
また、上記各パネルはそれぞれパネル保持枠を有しており、このパネル保持枠は上下の横框と左右の縦框からなって上記各パネルの上下・左右にネジ止め等で固着し、上記縦框をパネル連繋チェーンに吊りローラのローラ軸を介して連結し、パネルの昇降開閉時に上記縦框をガイドレールのパネル昇降ガイド用開口に昇降自在に嵌め込まれるようにしている。
【０００４】
このような構造のパネルシャッターでは、開閉動作時のパネルがスプロケットによりパネル連繋チェーンを介して縦移動から横移動もしくはその逆方向に継送される。この継送動作をスムーズに実現させるために上記ガイドレール間で上下方向に隣り合うパネル間には隙間を設定しているが、この隙間は指詰め事故発生の要因となる。そこで、指詰め防止対策として、上下方向に隣り合うパネル間における上位パネルの下部横框に下向きオーバーラップ片を、かつ下位パネルの上部横框に上向きオーバーラップ片をそれぞれ一体形成した構成とすることも既に知られている。
【０００５】
また、上記パネルシャッターの開閉動作時において、左右のスプロケット間をパネルが通過する際、すなわち、前述のようにパネルが縦移動から横移動もしくはその逆方向に継送される際には、その継送方向に上記パネルの下部が誘導されるようになっている。
【０００６】
なお、上記先行技術は当業者一般に知られた技術であって、文献公知発明に係るものではない。
【発明の開示】
【発明が解決しようとする課題】
【０００７】
従来のパネルシャッターは以上のように構成されているので、左右のガイドレール間で上下方向に隣り合うパネル同士を同一ピッチでパネル連繋チェーンにより吊持しており、シャッター開閉動作時に左右のスプロケット間を通過する際、パネル下部は、収納ボックス等のパネル収納部に設けられた案内部に係合案内され、このパネル収納部から搬出方向およびその逆方向である収納方向に誘導されることによって、パネル収納部への収納および搬出が行われている。
このパネルの誘導動作過程において、当該パネルをパネル連繋チェーンに連結している吊りローラのローラ軸を中心としたパネル振れ動作（一種の振り子運動）が発生し、このパネル振れ動作（傾き移動動作）に起因して、パネル同士の衝突が生じることがあった。
【０００８】
特にこの衝突は、ガラス面板で構成されたパネルである場合、特に全面ガラス張りのような意匠性を持たせるためにガラス面板の上下に横框を設けないようにしたパネルの場合、たとえ、微細な衝突であっても、高い確率でガラス面板が破壊されてしまうというおそれがある。
そこで、パネル同士の衝突を回避するために、従来技術では、上下方向に隣り合うパネル間の隙間を大きく設定していた。確かに、パネル間の隙間を大きく設定することにより、衝突は回避できるが、他方、パネル間の隙間が大きくすると、シャッター開閉動作時等での指詰め事故が生じてしまうおそれがある。
【０００９】
特に、ガラス面板の破壊をできるだけ回避する手段として、上記各パネルがガラス面板からなる場合、強度を上げるためにガラス面板の板厚を厚くするという回避策もあるが、その板厚を厚くするとパネル全体も厚くなり、例えばシャッター開放時に、パネル収納部内へのパネル収納およびそれとは逆の搬出時に、左右のスプロケット間を通過する際、収納および搬出方向のパネルの振れ動作によって、当該パネルの下端部と後続パネルの上端部とが衝突する場合が飛躍的に多くなり、その結果、安全を考慮して、上下方向に隣り合うガラス面板間の隙間を大きく設定する必要があり、その結果、シャッター開閉動作時の指詰め事故が生じてしまうおそれがある。
【００１０】
この発明は上記のような課題を解決するためになされたもので、上下方向に隣り合うパネル同士間の隙間を極力縮めることが可能となって指詰め事故の防止を可能とすると共に、シャッター開閉動作時に左右のスプロケット間を通過する際のパネルと、これに隣り合うパネルとの接触を回避することができてパネルの破損等を防止することができるパネルおよびパネルシャッターを提供することを目的とする。
【課題を解決するための手段】
【００１１】
この発明に係るパネルは、パネル本体を支持する縦框に移動経路と限界間隔距離を保持してかつ、移動経路に沿った衝突回避形状に形成された上向延出部および下向延出部を設けたものである。
【００１２】
この発明に係るパネルシャッターは、シャッター全閉時に上下方向に隣り合うパネル同士の両側面間で上位パネルの縦框と下位パネルの縦框とを当接させてパネル本体同士を非接触状態に保持させると共に、各パネル同士が干渉しない框形状に形成されているものである。
【発明の効果】
【００１３】
この発明によれば、各パネル本体を支持する縦框によって、シャッター全閉時に上下方向に隣り合うパネル本体同士を非接触状態に保持させることができると共に、パネル収納部内へのパネル収納およびその逆方向であるパネル搬出動作の際に生じるパネル傾き移動動作時に上下に隣接する各パネル間の隙間を極限まで縮めることが可能となって指詰め事故を防止することができると共に、各パネル同士の接触に起因したパネルの破損等を防止することができるという効果がある。
【発明を実施するための最良の形態】
【００１４】
実施の形態１．
図１はこの発明の実施の形態１によるパネルシャッターを示す概略的な正面図、図２は図１中のパネル収納部およびパネル昇降駆動系の拡大構成説明図、図３（Ａ）は図１中で上下方向に隣り合うパネル同士の側面図、図３（Ｂ）は図３（Ａ）の部分的正面図、図４は図１のＡ−Ａ線に沿った拡大断面図、図５は図３（Ａ）における縦框の上端部位の斜視図である。
【００１５】
図１において、１は各種の構築・構造物におけるシャッター開閉用開口の両側に起立配置された左右一対のガイドレールであり、これらのガイドレール１は、図２および図４に示すように、それぞれの対向面に縦方向のパネル昇降ガイド用開口２を有している。３Ａ，３Ｂは上記ガイドレール１間を昇降する複数のパネルの本体であり、これら３Ａ，３Ｂは二枚の強化ガラスを張り合わせて一体結合させたガラス面板（パネル本体）からなっており、これらのガラス面板３Ａ，３Ｂのそれぞれの両側端部には、図３〜図５に示すように、縦框４が個々に組み付けられている。この縦框４の詳細な構造については後述する。なお、上記複数のパネルはそれぞれ、これらパネル本体および縦框より構成され、横框は設けられていない。
【００１６】
また、上記ガイドレール１の上部にはパネル収納部５が設けられ、このパネル収納部５には左右のブラケット６，７が配置されている。これらのブラケット６，７には、上記両ガイドレール１のそれぞれの上方に位置する左右一対のパネル昇降駆動系のスプロケット８，９（図１および図２参照）が同軸上に配置されており、それらのスプロケット８，９は、開閉機（モータ）１０によって同期回転駆動されるようになっている。そして、上記スプロケット８，９のそれぞれにはパネル連繋チェーン１１，１２が噛合しており、これらのパネル連繋チェーン１１，１２により、図２、図４に示すように、上記各ガラス面板３Ａ，３Ｂをそれぞれの両側端部に組み付けられた縦框４を介して吊持している。また、上記パネル収納部５には、上記スプロケット８，９間をパネル収納方向に通過したガラス面板３Ａ，３Ｂを吊持収納する左右一対の収納レール１３，１４（図２参照）が水平方向に配置されている。さらに、上記パネル収納部５におけるパネル出入口付近にはパネル下部ガイド部材１５，１６が配置されている。
【００１７】
ここで、上記縦框４の詳細な構造について説明する。
図５は、概略的斜視図である。そして、図４に示すように、上記縦框４は、上記ガイドレール１のパネル昇降ガイド用開口２に昇降自在に嵌め込まれる横断面略コ字形状のフレーム部材からなるパネル保持部材４２と、このパネル保持部材４２の背面に一体化された横断面略ハ字形状のフレーム部材からなって上記パネル保持部材４２の全長に亘る第１のブラケット部材４２ａと、この第１のブラケット部材４２ａに着脱可能に取り付けられる第２のブラケット部材４１とによるユニット構造となっている。なお、第２のブラケット部材４１は、ガラス面板３Ａ，３Ｂ側が開放されて当該開放端側に幅狭方向へ傾斜するテーパ片部４１ａを一体に有する横断面中空柱状のフレーム部材からなって上記テーパ片部４１ａが上記第１のブラケット部材４２ａのハ字状テーパ片部に止めネジ（止着具）Ｎ１で着脱可能に取り付けられている。
【００１８】
そして、上記第２のブラケット部材４１の背面側上部にはピン挿入筒４３が一体に設けられ、このピン挿入筒４３には上記パネル連繋チェーン１１，１２に取り付けられたロングピン（後述する吊りローラ１８のローラ軸）１７（チェーン支持関連部材）が挿脱可能に挿入されている。したがって、上記第２のブラケット部材４１はロングピン１７を介してパネル連繋チェーン１１，１２に吊持されている。なお、上記ロングピン１７はパネル連繋チェーン１１，１２のチェーンリンクピンを兼ねるもので、そのロングピン１７には、上記収納レール１３，１４（図２参照）上を転動させるための吊りローラ１８が回転自在に取り付けられている。また、上記第２のブラケット部材４１の背面側下部にはローラ支持アーム４４を介して下部ガイドローラ４５が回転自在に取り付けられている。この下部ガイドローラ４５は上記パネル下部ガイド部材１５，１６に沿って各ガラス面板３Ａ，３Ｂの下部を所定の移動方向に順次誘導させるためのものである。
【００１９】
上記パネル保持部材４２はコ字状部が上記ガラス面板３Ａ，３Ｂの両側端部に間隙を存して嵌め込まれ、その間隙部にシリコン系の接着剤５０を注入・硬化させることで、その硬化後の接着剤５０によって、上記パネル保持部材４２のコ字状部内側全面と、上記パネル保持部材４２のコ字状部内に対するガラス面板３Ａ，３Ｂの挿入部全面とを弾性的に結合させた構造となっている。なお、上記シリコン系接着剤５０は予め横断面略コ字形状に成形されたものを上記パネル保持部材４２のコ字状部内側全面に圧着結合させておき、そのシリコン系接着剤５０の成形物に上記ガラス面板３Ａ，３Ｂの両側部を圧入嵌着させて上記パネル保持部材４２とガラス面板３Ａ，３Ｂとを一体的にユニット化することも可能である。なお、上記パネル保持部材４２と上記シリコン系接着剤は、それぞれ上記ガラス面板３Ａ，３Ｂの高さ方向全域に連続して設けられていてもよいし、部分的に連続的または断続的に設けられていてもよい。
【００２０】
以上のような縦框４が一体結合されたガラス面板３Ａ，３Ｂの下降動作によるシャッター全閉時において、上下方向に隣り合うガラス面板３Ａ，３Ｂ同士の両側面間で上位ガラス面板３Ａの縦框４と下位ガラス面板３Ｂの縦框４とが当接することにより、それらのガラス面板３Ａ，３Ｂ同士が非接触状態に保持されるようになっている。上記各ガラス面板３Ａ，３Ｂのそれぞれの縦框４は、左右のガイドレール１間をガラス面板３Ａが通過する際に生じる当該ガラス面板３Ａの傾き動作時（図６（Ａ），（Ｂ）参照）に当該ガラス面板３Ａの縦框４の下端部と、これに隣り合うガラス面板３Ｂの上端部とが干渉しない框形状に形成されている。（図３，図５，図６（Ａ），（Ｂ）参照）
【００２１】
すなわち、上記各縦框４には、図３（Ａ）に示すように、上下方向に隣り合うガラス面板３Ａ，３Ｂ同士の両側面間における上位ガラス面板３Ａの両側面に沿って当該上位ガラス面板３Ａの下端から延びる下向延出部４ａと、下位ガラス面板３Ｂの両側面に沿って当該下位ガラス面板３Ｂの上端から上記下向延出部４ａに対し間隙を存してオーバーラップする方向に延びる上向延出部４ｂとが形成されている。
【００２２】
ここで、各縦框４の上部から延びる上向延出部４ｂの形状は、図3に示すように、上下方向に隣り合う上方に位置する上方のパネルがパネル収納部５内へのパネル収納およびその逆方向であるパネル搬出動作の際に生じるパネル傾き移動動作時の上方の縦框４の下向延出部４ａの移動経路と限界間隔距離を保持し、かつ、移動経路に沿った衝突回避形状に形成されている。
【００２３】
他方、各縦框４の下部から延びる下向延出部４ａの形状は、図3に示すように、上記パネル傾き移動動作時に、下方の縦框４の上向延出部４ｂの移動経路と限界間隔距離を保持してかつ、移動経路に沿った衝突回避形状に形成されている。
【００２４】
また、各縦框４の上部には、図3に示すように、段差状に形成され、しかも、シャッター全閉時に上方のパネルの下向延出部４ａの下部に当接する上端辺縁部４ｄと、縦框４の下部には、段差状に形成され、シャッター全閉時に下方のパネルの上向延出部４ｂの上部に当接する下端辺縁部４ｃとが形成され、シャッター全閉時に各パネル本体同士を非接触状態に保持できるように構成されている。
すなわち、上記上位ガラス面板３Ａの縦框４には、下向延出部４ａの基端部に連続して当該上位ガラス面板３Ａの下端よりも上方に位置する段差状の下端辺縁部４ｃが形成され、上記下位ガラス面板３Ｂの縦框４には上向延出部４ｂの基端部に連続して当該下位ガラス面板３Ｂの上端よりも上方に位置する段差状の上端辺縁部４ｄが形成されており、シャッター全閉時に上記下向延出部４ａの先端が上記上端辺縁部４ｄに、かつ上記上向延出部４ｂの先端が上記下端辺縁部４ｃにそれぞれ当接して上記ガラス面板３Ａ，３Ｂ同士を非接触状態に保持するようになっている。なお、それぞれのパネルにおける縦框４の下向延出部４ａ、下端辺縁部４ｃ、上向延出部４ｂおよび上端辺縁部４ｄは、隣接する縦框がない開放端のパネルの上端部と閉鎖端パネルの下端部以外は、縦框同士で同形状であることが好ましい。
【００２５】
ここで、全閉時のガラス面板３Ａ，３Ｂ間の間隔は６ｍｍ以下が好ましい。この発明の実施の形態では、この間隔に関して、特に、縦框４の下向延出部４ａおよび上向延出部４ｂの形状のそれぞれを、移動経路という概念を前提とした特殊形状の衝突回避形状に形成したので、以下に示すように、6ｍｍ以下という好ましい数値は達成できた。さらに、下向延出部４ａおよび上向延出部４ｂを特殊な衝突回避形状と構成から、パネルの（１）降下（上昇）中および（２）全閉時における［１］縦框４―縦框４間［２］ガラス面板３Ａ，３Ｂ間［３］弾性シール材４７の高さに関しては、以下のような数値とした。
（１）降下（上昇）中
［１］縦框４―縦框４間：４ｍｍ
［２］ガラス面板３Ａ，３Ｂ間：９ｍｍ
［３］弾性シール材４７高さ：７ｍｍ
（２）全閉時
［１］縦框４―縦框４間：０ｍｍ（密着）
［２］ガラス面板３Ａ，３Ｂ間：５ｍｍ
［３］弾性シール材４７高さ：押しつぶされているため５ｍｍであった。
ここで、押しつぶされない状態での弾性シール材４７の高さ寸法は、降下（上昇）中にガラス面板３Ａに干渉しない範囲で全閉時のガラス面板３Ａ，３Ｂ間の寸法よりも大きくし、弾性シール材４７と上位ガラス面板３Ａとの降下（上昇）中の隙間を縦框４，４間の降下（上昇）中の隙間より小さくして弾性シール材４７と上位ガラス面板３Ａとの隙間に物体等が一層入りづらくしていると共に、全閉時のガラス面板３Ａ，３Ｂ間の寸法は、降下中の弾性シール材４７と上位ガラス面板３Ａとの隙間よりも大きくすることで、もし降下中の弾性シール材４７と上位ガラス面板３Ａとの隙間に何か物体等が入り込んでも、ガラス面板３Ａ，３Ｂや物体等を破壊しにくいようにしている。
なお、製造誤差、設計誤差、施工誤差などで若干の寸法の変動はあってもよい。
【００２６】
以上において、両ガイドレール１の内部にパネル昇降駆動系のスプロケット８，９から垂下するパネル連繋チェーン１１，１２に上述のようにロングピン１７を介して組み付け吊持された第２のブラケット部材４１は上記両ガイドレール１のパネル昇降ガイド用開口２に昇降自在に嵌め込まれ、その嵌め込み状態では上記第２のブラケット部材４１のテーパ片部４１ａが上記パネル昇降ガイド用開口２からガイドレール１の外側に突出した露出状態となる。そこで、上述のようにガラス面板３Ａ，３Ｂの両側部にシリコン系接着剤５０で一体的にユニット化されたパネル保持部材４２の第１のブラケット部材４２ａを上記第２のブラケット部材４１のテーパ片部４１ａの外側に当接し、第１，第２のブラケット部材４２ａ，４１ａ同士を止着具である止めネジＮ１で締め付けて連結固定することにより、各ガラス面板３Ａ，３Ｂがパネル連繋チェーン１１，１２に吊持されるように組み付けられる。なお、止着具Ｎ１は止めネジに特定されるものではなく、リベットやピンなど上記第２のブラケット部材４１とパネル保持部材４２とを好ましくは着脱可能に連結できるものであればよい。
【００２７】
さらに、本実施の形態１においては、パネル本体である上記各ガラス面板３Ａ，３Ｂの上端部には弾性シール部材４７が一体的に設けられている。なお、弾性シール部材４７はパネル体本体の構成には含まれないとしてパネル本体とは区別して説明する。この弾性シール部材４７は、上記各ガラス面板３Ａ，３Ｂに当接しても上記各ガラス面板３Ａ，３Ｂを容易に破壊しないまた破壊されにくい弾性を有する。この弾性シール部材４７は、図示例において、シャッター全閉時にガラス面板３Ａ，３Ｂの相互間で圧縮されてガラス面板３Ａ，３Ｂ間を封止する透明なチューブ状の弾性部材から構成されているが、シャッター全閉時のガラス面板３Ａ，３Ｂ間を封止できるものであればよい。なお、この弾性シール部材４７は、上記各ガラス面板３Ａ，３Ｂの上端部に設けられていてもよく、下端部に設けられていてもよく、上端部および下端部に設けられていてもよく、また、上端部にも下端部にも設けないようにすることも可能である。さらに弾性シール部材４７のパネル厚さ方向の好適な寸法は、パネル本体の厚さと等しいか、略等しい寸法とされる。
【００２８】
なお、図１において、１９は開閉機１０を正逆回転起動や停止をさせるためのスイッチ、２０はガイドレール１間における最下位のガラス面板３Ａ，３Ｂの下端部に上下動可能に組み付けられた座板であり、この座板２０は障害物等を挟み込んだ際に上記最下位のガラス面板３Ａ，３Ｂに対して上昇することで図２中のマイクロスイッチＭＳをＯＮして開閉機１０を自動停止もしくは反転駆動させるようになっている。
【００２９】
次に動作について説明する。
ガイドレール１間をガラス面板３Ａ，３Ｂが全閉している状態において、開閉機１をシャッター開方向に起動させると、パネル昇降駆動系のスプロケット８，９が図２中で時計回り方向に回転駆動されることにより、それらのスプロケット８，９に噛合したパネル連繋チェーン１１，１２を介して上記ガイドレール１間のガラス面板３Ａ，３Ｂが上昇する。この際、パネル連繋チェーン１１，１２には、パネルの縦寸法よりもわずかに長いピッチでパネルが吊持されているので、上下に隣接する縦框４同士にはわずかに隙間が形成される。その上昇動作時において、上位ガラス面板３Ａの上端側（ローラ軸１７）が上記スプロケット８，９間に近づくと、上記上位ガラス面板３Ａの下部ガイドローラ４５がパネル下部ガイド部材１５，１６によりパネル収納方向へ向かって斜め上方に誘導される。
【００３０】
したがって、上記スプロケット８，９間を通過する際の上位ガラス面板３Ａは、この上端側の上記ローラ軸１７を中心とした振れ動作（一種の振り子運動）が発生し、この振れ動作によって上記上位ガラス面板３Ａの下端部と後続の下位ガラス面板３Ｂの上端とが干渉しようとするが、それらのガラス面板３Ａ，３Ｂの上下端部には横框やオーバーラップ嵌合部が一切設けられていないので、ガラス面板３Ａ，３Ｂ同士が接触するようなことはない。
【００３１】
ここで、各縦框４の上部から延びる上向延出部４ｂの形状は、図3に示すように、上下方向に隣り合う上方に位置する上方のパネルがパネル収納部５内へのパネル収納およびその逆方向であるパネル搬出動作の際に生じるパネル傾き移動動作時の上方の縦框４の下向延出部４ａの移動経路と限界間隔距離を保持し、かつ、移動経路に沿った衝突回避形状に形成されている。  
さらに、各縦框４の下部から延びる下向延出部４ａの形状も、図3に示すように、上記パネル傾き移動動作時に、下方の縦框４の上向延出部４ｂの移動経路と限界間隔距離を保持してかつ、移動経路に沿った衝突回避形状に形成されているので、各パネル本体同士の衝突は確実に防止できると共に、隣接する各パネル本体間の隙間を極限まで縮めることが可能となって指詰め事故を確実に防止することができると共に、各パネル本体同士の接触に起因したパネルの破損等を防止することができるという効果がある。
【００３２】
また、パネル本体同士の間隔がわずか（前述の実寸法によると５ｍｍ）であるため、パネル本体間の隙間が比較的目立たず、特にパネル本体が透明であったり半透明であったりした場合に、全閉したパネルシャッター越しにパネルシャッターの手前からパネルシャッターの奥側を見ても違和感を、全く感じさせないという効果が得られる。
さらに、パネルの降下中も縦框４間隔がわずか（前述の実寸法によると４ｍｍ）であり、しかも、パネル本体に横框を設けずかつパネル本体同士は接触しないため、パネル同士の当接により発生する音の大きさを低減でき、縦框間隔が広く、横框同士が接触する従来のパネルシャッターに比べて、その騒音を抑えることができるという効果が得られる。
【００３３】
また、各縦框４の上部には、段差状に形成され、しかも、シャッター全閉時に上方のパネルの下向延出部４ａの下部に当接する上端辺縁部４ｄと、縦框４の下部には、段差状に形成され、シャッター全閉時に下方のパネルの上向延出部４ｂの上部に当接する下端辺縁部４ｃとが形成されているので、シャッター全閉時に各パネル本体同士を非接触状態に保持できるという効果がある。
【００３４】
そして、上記スプロケット８，９間を通過した上位ガラス面板３Ａは、この上部両側の吊りローラ１８が収納レール１３，１４上に移行する。その収納レール１３，１４上に移行した上位ガラス面板３Ａは、上位ガラス面板３Ａを保持する縦框４が後続のガラス面板３Ｂを保持する縦框４で押されることにより、上記収納レール１３，１４上では各ガラス面板３Ａ，３Ｂが並列状態に吊持収納される。
【００３５】
このような収納状態から開閉機１０をシャッター閉方向に起動させると、スプロケット８，９が図２中で反時計回り方向に回転駆動されることにより、収納レール１３，１４で吊持されたガラス面板３Ａ，３Ｂおよび縦框４，４がパネル連繋チェーン１１，１２による牽引で上記収納レール１３，１４に沿ってスプロケット８，９の方向に順次横移動し、それらのスプロケット８，９間を通過したガラス面板３Ａ，３Ｂはパネル連繋チェーンに吊持されてガイドレール１に沿って順次下降する。そして、最下位のガラス面板３Ｂが接地した後、当該ガラス面板３Ｂ上に次のガラス面板（次位のガラス面板という）３Ａが降りてくる。このとき、最下位ガラス面板３Ｂの縦框４における上向延出部４ｂの先端が次位ガラス面板３Ａの縦框４における下端辺縁部４ｃに、かつ次位ガラス面板３Ａの縦框４における下向延出部４ａの先端が最下位ガラス面板３Ｂの縦框４における上端辺縁部４ｄにそれぞれ当接する。これと同様に、各ガラス面板３Ａ，３Ｂ間でそれぞれの縦框４同士が当接することにより、各ガラス面板３Ａ，３Ｂ同士が非接触状態に保持される。
【００３６】
このため、シャッターの開閉動作時やシャッター全閉時においてもガラス面板３Ａ，３Ｂ同士は非接触状態に保持されて接触する危惧がないので、その接触に起因したガラス面板３Ａ，３Ｂの破損等を防止することができると共に、当該ガラス面板３Ａ，３Ｂ同士の隙間を極限まで近づけることが可能となり、指詰め事故を防止することができるという効果がある。また、シャッター全閉状態では上記ガラス面板３Ａ，３Ｂ間の弾性シール材４７が圧縮された状態となって、当該弾性シール材４７で上記ガラス面板３Ａ，３Ｂ間の隙間が塞がれるという効果がある。
以上のように、各縦框４の上部には、所定形状の上端辺縁部４ｄと、縦框４の下部には、所定形状の下端辺縁部４ｃと形成されているので、シャッター全閉時に各パネル本体同士を非接触状態に保持できるという効果がある。
【００３７】
また、上記実施の形態１によれば、ガラス面板３Ａ，３Ｂの両側に組み付ける縦框４におけるパネル保持部材４２のコ字状内面の全面と、そのコ字状内部に対する上記ガラス面板３Ａ，３Ｂの挿入部全面とをシリコン系接着剤５０によって弾性的に一体化するように構成したので、ネジ止めを必要とせずにガラス面板３Ａ，３Ｂの両側端部に縦框４を一体的に組み付けることができ、上記ガラス面板３Ａ，３Ｂの上下に横框を組み付ける必要がないので、部品点数の減少が図れ、組立作業性が向上すると共に、左右のガイドレール１間にはガラス面板３Ａ，３Ｂだけを表出させることが可能となるという効果もある。さらに、各ガラス面板３Ａ，３Ｂと縦框４のパネル保持部材４２との間にはシリコン系接着剤５０層が介在し、上記ガラス面板３Ａ，３Ｂがパネル保持部材４２に直接当たらないので、上記パネル保持部材４２が金属であっても、そのパネル保持部材４２とガラス面板３Ａ，３Ｂとを非接触状態に保持することができ、それら両者の接触に起因したガラス面板３Ａ，３Ｂの破損を防止することができ、かつ、上記シリコン系接着剤５０特有の弾性作用によって衝撃を吸収することができるという効果もある。
【００３８】
さらには、上記パネル連繋チェーン１１，１２で吊持された第２のブラケット部材４１がガイドレール１のパネル昇降ガイド用開口２に昇降自在に嵌め込まれ、その第２のブラケット部材４１にガラス面板３Ａ，３Ｂ側のパネル保持部材４２がガイドレール１の外側から止めネジＮ１で着脱可能に締め付けることにより連結固定されているので、ガラス面板３Ａ，３Ｂの破損等による交換に際してはガイドレール１を取り外すことなく上記止めネジＮ１を取り外すだけでガラス面板３Ａ，３Ｂの交換を容易に行うことができるという効果がある。しかも、上記第２のブラケット部材４１とパネル保持部材４２のそれぞれには上記パネル昇降ガイド用開口２の付近で同一方向に傾斜するテーパ片部４１ａ，４２ａが設けられ、それらのテーパ片部４１ａ，４２ａ相互をガイドレール１の外側から上記止めネジＮ１で着脱可能に連結するように構成したので、上記第２のブラケット部材４１とパネル保持部材４２の脱着作業を容易に手際よく行うことができるという効果がある。
【００３９】
なお、上記実施の形態１では、ガラス面板３Ａ，３Ｂをパネル本体として適用した場合について説明したが、パネル本体として、ある程度の衝撃を与えると破壊のおそれがある部材を適用してもよく、この場合も上記実施の形態１と同様にシャッター全閉時およびシャッター動作時にパネル本体同士は接触させずに、パネル本体同士の接触による破壊を防ぐことができる。また、パネル本体は、透明であっても、半透明であっても不透明であってもよく、これらは個々のパネル本体によって異なっていてもよい。上記ガラス面板３Ａ，３Ｂは樹脂板や、板状の鏡、液晶パネル、太陽電池等に置き換えることも可能である。また、上記縦框４における第２のブラケット部材４１およびパネル保持部材４２は上述した図示の形状に特定されるものではない。
【００４０】
また、上記実施の形態１では、縦框４の一部がガイドレール１の外側に露出する構成としたが、化粧部材をガイドレール１に沿って設け、縦框４の全体がガイドレール１および化粧部材によって隠れるようにしてもよい。
【図面の簡単な説明】
【００４１】
【図１】この発明の実施の形態１によるパネルシャッターを示す概略的な正面図である。
【図２】図１中のパネル収納部およびパネル昇降駆動系の拡大構成説明図である。
【図３】図３（Ａ）は図１中で上下方向に隣り合うパネル同士の側面図、図３（Ｂ）は図３（Ａ）の部分的正面図である。
【図４】図１のＡ−Ａ線に沿った拡大断面図である。
【図５】図３（Ａ）における縦框の上端部位の概略斜視図である。
【図６】シャッター開閉時におけるパネルの動作説明図である。
【符号の説明】
【００４２】
１  ガイドレール
２  パネル昇降ガイド用開口
３Ａ，３Ｂ  パネル本体（ガラス面板）
４  縦框
４ａ  下向延出部
４ｂ  上向延出部
４ｃ  下端辺縁部
４ｄ  上端辺縁部
５  パネル収納部
６，７  ブラケット
８，９  パネル昇降駆動系スプロケット
１０  開閉機（モータ）
１１，１２  パネル連繋チェーン
１３，１４  収納レール
１５，１６  パネル下部ガイド部材
１７  ロングピン（ローラ軸）（チェーン支持関連部材）
１８  吊りローラ
１９  スイッチ
２０  座板
４１  第２のブラケット部材
４１ａ  テーパ片部
４２  パネル保持部材
４２ａ  第１のブラケット部材
４３  ピン挿入筒
４４  ローラ支持アーム
４５  下部ガイドローラ
４７  弾性シール部材
４９  カバー部材
Ｎ１  止めネジ（止着具）
【図１】
2007291776.tif 000003
【図２】
2007291776.tif 000004
【図３】
2007291776.tif 000005
【図４】
2007291776.tif 000006
【図５】
2007291776.tif 000007
【図６】
2007291776.tif 000008